(57)【特許請求の範囲】
【請求項１】
上階の居室用の床梁部と、この床梁部の屋外側端部から、前記床梁部よりも下方に位置するように段差を介して一体に突設するバルコニー梁部を備え、
前記床梁部の主体を構成する第１のＨ形鋼よりなる床梁材の屋外側の端部が、第２のＨ形鋼よりなる段差ブロックの屋内側のフランジの上部に一体に固着され、前記バルコニー梁部の主体を構成する第３のＨ形鋼よりなるバルコニー梁材の屋内側の端部が、前記段差ブロックの屋外側のフランジの下部に一体に固着されていることを特徴とする段差梁。
【請求項２】
前記床梁材と前記バルコニー梁材の少なくとも上下面、及び前記段差ブロックの屋内側の面に、木質の板材が固着してあることを特徴とする請求項１記載の段差梁。
【請求項３】
前記第１のＨ形鋼の上下のフランジが前記床梁材の上下面となり、前記第３のＨ形鋼の上下のフランジが前記バルコニー梁材の上下面となり、前記第２のＨ形鋼の屋内側及び屋外側のフランジが前記段差ブロックの屋内側及び屋外側の面となり、
前記段差ブロックのウェッブの両面に、前記段差ブロックの前記屋内側のフランジを介して、前記床梁材の前記下のフランジと連続するように第１のスチフナーが固着され、
前記段差ブロックのウェッブの両面に、前記段差ブロックの前記屋外側のフランジを介して、前記バルコニー梁材の前記上のフランジと連続するように第２のスチフナーが固着され、
前記第１のスチフナーと前記第２のスチフナーが上下方向にずれて設けられると共に、前記第１のスチフナーが、前記段差ブロックの前記ウェッブの両面の屋内側の半部に設けられ、且つ、前記第２のスチフナーが、前記段差ブロックの前記ウェッブの両面の屋外側の半部に設けられることを特徴とする請求項１または２に記載の段差梁。
【請求項４】
前記請求項１乃至請求項３のいずれかに記載の段差梁を用いた居室床とバルコニー床の構造であって、
段差梁の床梁部上に上階の居室床が形成され、バルコニー梁部の上にバルコニー床が形成され、
前記バルコニー床が、防水性を有する防水床部と、この防水床部上に載置され且つ上面の水を防水床部に排水するための排水部を備えたバルコニーデッキとで構成され、
前記居室床の上面と、前記バルコニーデッキ上面とがほぼ同レベルとされていることを特徴とする段差梁を用いた居室床とバルコニー床の構造。
【発明の詳細な説明】
【技術分野】
【０００１】
本発明は、段差梁及び段差梁を用いた居室床とバルコニー床の構造に関するものである。
【背景技術】
【０００２】
上階の居室に隣接して屋外側にバルコニーを形成するに当り、上階の居室用の梁を屋外側に一直線状に突出し、この屋外側に突出した部分をバルコニー梁部とするものが特許文献１により知られている。
【０００３】
この特許文献１においては、上階の居室用の梁の屋内部分が床梁部となり、この床梁部上に居室床が形成される。また、梁の屋外側に突出した部分であるバルコニー梁部の上にバルコニー床が形成される。床梁部とバルコニー梁部とが一直線状に連続しているため、その上に形成する居室床とバルコニー床との境界には防水上の観点から立上り部が形成される。
【０００４】
バルコニー床は水勾配を有する防水床部を備えており、防水床部の上面の屋内側の端部から立上り部の上端までは防水のため１２０ｍｍ以上の段差が必要であり、このため居室床の上面から立上り部の上端までの立上り寸法は例えば２００ｍｍ以上取らねばならない。
【０００５】
このように、特許文献１に示される従来例は、居室床とバルコニー床とが立上り部により分断される。
【先行技術文献】
【特許文献】
【０００６】
【特許文献１】特開２０００−６４４１５号公報
【発明の概要】
【発明が解決しようとする課題】
【０００７】
特許文献１に示される従来例は、上記のように、居室床とバルコニー床とが立上り部により分断されるので、居室とバルコニーは空間として一体感がなく、空間が狭く感じられる。
【０００８】
また、立上り部の跨ぎ高さが高くなるため、居室床とバルコニー床との間の行き来がし難く、立上り部につまずき易いという問題がある。
【０００９】
本発明の目的とするところは、バルコニー床の防水床のレベルを下げて防水のための段差寸法を確保しつつ居室床とバルコニー床との間の立上り部を低く又は無くすことが可能となる段差梁及び段差梁を用いた居室床とバルコニー床の構造を提供することにある。
【課題を解決するための手段】
【００１０】
本発明の段差梁は、上階の居室用の床梁部と、この床梁部の屋外側端部から、前記床梁部よりも下方に位置するように段差を介して一体に突設するバルコニー梁部を備え、前記床梁部の主体を構成する第１のＨ形鋼よりなる床梁材の屋外側の端部が、第２のＨ形鋼よりなる段差ブロックの屋内側のフランジの上部に一体に固着され、前記バルコニー梁部の主体を構成する第３のＨ形鋼よりなるバルコニー梁材の屋内側の端部が、前記段差ブロックの屋外側のフランジの下部に一体に固着されていることを特徴とする。
【００１１】
また、前記床梁材と前記バルコニー梁材の少なくとも上下面、及び前記段差ブロックの屋内側の面に、木質の板材が固着してあることが好ましい。
【００１３】
また、前記第１のＨ形鋼の上下のフランジが前記床梁材の上下面となり、前記第３のＨ形鋼の上下のフランジが前記バルコニー梁材の上下面となり、前記第２のＨ形鋼の屋内側及び屋外側のフランジが前記段差ブロックの屋内側及び屋外側の面となり、前記段差ブロックのウェッブの両面に、前記段差ブロックの前記屋内側のフランジを介して、前記床梁材の前記下のフランジと連続するように第１のスチフナーが固着され、前記段差ブロックのウェッブの両面に、前記段差ブロックの前記屋外側のフランジを介して、前記バルコニー梁材の前記上のフランジと連続するように第２のスチフナーが固着され、前記第１のスチフナーと前記第２のスチフナーが上下方向にずれて設けられると共に、前記第１のスチフナーが、前記段差ブロックの前記ウェッブの両面の屋内側の半部に設けられ、且つ、前記第２のスチフナーが、前記段差ブロックの前記ウェッブの両面の屋外側の半部に設けられることも好ましい。
【００１４】
また、本発明の段差梁を用いた居室床とバルコニー床の構造は、段差梁の床梁部上に上階の居室床が形成され、バルコニー梁部の上にバルコニー床が形成され、前記バルコニー床が、防水性を有する防水床部と、この防水床部上に載置され且つ上面の水を防水床部に排水するための排水部を備えたバルコニーデッキとで構成され、前記居室床の上面と、前記バルコニーデッキ上面とがほぼ同レベルとされていることを特徴とする。
【発明の効果】
【００１５】
本発明は、バルコニーの防水床部のレベルを下げて防水に必要な段差寸法を確保しつつ立上り部を低く又は無くすことが可能となる。
【図面の簡単な説明】
【００１６】
【図１】本発明の段差梁の一実施形態の斜視図である。
【図２】同上の側面図である。
【図３】同上の溶接前の分解斜視図である。
【図４】同上の上部接続領域、下部接続領域を説明するための説明図である。
【図５】本発明の段差梁の他の実施形態の斜視図である。
【図６】段差梁を用いて上階の居室床とバルコニー床とを形成した一例を示す断面図である。
【図７】段差梁を用いて上階の居室床とバルコニー床とを形成した他例を示す断面図である。
【図８】（ａ）（ｂ）（ｃ）はバルコニーの種類を示す説明図である。
【図９】バルコニーの内側の梁のみを段差梁とした例を示す説明図である。
【図１０】バルコニーの全体の梁を段差梁とした例を示す説明図である。
【発明を実施するための形態】
【００１７】
以下、本発明を添付図面に示す実施形態に基づいて説明する。
【００１８】
図１、図２には段差梁３の一実施形態を示している。段差梁３は、上階の居室用の床梁部１の屋外側端部から、前記床梁部１よりも下方に位置するように段差を介してバルコニー梁部２を一体に突設することで構成される。
【００１９】
段差梁３の主体を構成する段差梁本体４は鋼材により形成される。床梁部１の主体を構成する第１のＨ形鋼６０よりなる床梁材６と、バルコニー梁部２の主体を構成する第３のＨ形鋼８０よりなるバルコニー梁材８が、第２のＨ形鋼７０よりなる段差ブロック７を介して一体に固着される。
【００２０】
第１のＨ形鋼６０、第３のＨ形鋼８０は同じ断面をしたＨ形鋼により構成される。
【００２１】
床梁材６の上下面は、第１のＨ形鋼６０のフランジ６１により構成され、バルコニー梁材８の上下面は、第３のＨ形鋼８０のフランジ８１により構成される。また、段差ブロック７の屋内側及び屋外側の面は、第２のＨ形鋼７０のフランジ７１により構成され、第２のＨ形鋼７０の上端面及び下端面には鋼材よりなる上板２４、下板２５が溶接により固着される。
【００２２】
そして、床梁材６を構成する第１のＨ形鋼６０のフランジ６１及びウェッブ６２の屋外側端部が、段差ブロック７を構成する第２のＨ形鋼７０の屋内側の面であるフランジ７１（７１ａ）の上部に溶接により固着される。また、バルコニー梁材８を構成する第３のＨ形鋼８０のフランジ８１及びウェッブ８２の屋内側の端部が、段差ブロック７を構成する第２のＨ形鋼７０の屋外側の面であるフランジ７１（７１ｂ）の下部に溶接により固着される。
【００２３】
このように、段差梁本体４は、第１のＨ形鋼６０と、第２のＨ形鋼７０と、第３のＨ形鋼８０を溶接により固着することで形成される。
【００２４】
ここで、段差ブロック７を構成する第２のＨ形鋼７０の上部、下部には、それぞれ、図４の斜線で示す領域である第１のＨ形鋼６０と接続一体化する上部接続領域Ａ、第３のＨ形鋼８０と接続一体化する下部接続領域Ｂが確保される。
【００２５】
この上部接続領域Ａ、下部接続領域Ｂは、伝達される曲げモーメントを十分に負担できるような強度としてあって、段差梁本体４が、通常の同一断面形状のＨ形鋼よりなる直線状の梁材と曲げ耐力が変わらない仕様としている。
【００２６】
このように、第１のＨ形鋼６０、第３のＨ形鋼８０と接続する部分である上部接続領域Ａ、下部接続領域Ｂを確保するため、第２のＨ形鋼７０の上下方向の寸法は、（第１のＨ形鋼６０の上下方向の寸法）+（第３のＨ形鋼８０の上下方向の寸法）の寸法以上となっている。
【００２７】
したがって、第２のＨ形鋼７０の上下方向の最小寸法は、（第１のＨ形鋼６０の上下方向の寸法）+（第３のＨ形鋼８０の上下方向の寸法）の寸法であり、現場に応じてこれ以上の長さに設定される。例えば、第２のＨ形鋼７０の上下高さを選択することで、図１、図４のように、段差寸法ｔを任意の長さ、例えば、図１の段差寸法ｔ＝２４５ｍｍ、図５の段差寸法ｔ＝２９５ｍｍに設定する。
【００２８】
段差ブロック７を構成する第２のＨ形鋼７０のウェッブ７２の両面には、図１、図２に示すように、段差ブロック７の屋内側のフランジ７１を介して、床梁材６の下のフランジ６１と連続するように第１のスチフナー１１が固着される。
【００２９】
また、段差ブロック７のウェッブ７２の両面に、段差ブロック７の屋外側のフランジ７１を介して、バルコニー梁材８の上のフランジ８１と連続するように第２のスチフナー１２が固着される。
【００３０】
ここで、第１のスチフナー１１は第２のスチフナー１２と同じレベルか又は上方にずれて設けられる。
【００３１】
第１のスチフナー１１が、第２のスチフナー１２より上方向にずれて設けられる場合、第１のスチフナー１１は段差ブロック７のウェッブ７２の屋内側の半部に設けられ、且つ、第２のスチフナー１２は段差ブロック７のウェッブ７２の屋外側の半部に設けられる。
【００３２】
このように構成することで、段差ブロック７に対して第１のスチフナー１１を先に溶接した後で第２のスチフナー１２を溶接する場合、第１のスチフナー１１に邪魔されることなく第２のスチフナー１２を溶接できる。
【００３３】
また、段差ブロック７に対して第２のスチフナー１２を先に溶接した後で第１のスチフナー１１を溶接する場合は、第２のスチフナー１２に邪魔されることなく第１のスチフナー１１を溶接できる。
【００３４】
なお、第２のＨ形鋼７０の上下方向の寸法が、（第１のＨ形鋼６０の上下方向の寸法）+（第３のＨ形鋼８０の上下方向の寸法）の寸法の場合は、第１のスチフナー１１と第２のスチフナー１２が一直線状に連続する単一のスチフナーとして形成される。
【００３５】
このように段差ブロック７に第１のスチフナー１１、第２のスチフナー１２を設けることで、段差梁本体４に荷重が加わり、段差ブロック７に集中荷重が加わっても、スチフナーによりその荷重に耐えうる曲げ強度を確保でき、曲げ変形を抑制することが可能となる。
【００３６】
段差梁本体４は、少なくとも上下面及び段差の屋内側の面に木質の板材５を固着することで、床梁部１とバルコニー梁部２が段差ブロック７を介して一体化された段差梁３が構成される。
【００３７】
すなわち、図１、図２に示すように、第１のＨ形鋼６０の上下のフランジ６１に木質の板材５を固着することで、床梁部１が構成される。また、第３のＨ形鋼８０の上下のフランジ８１に木質の板材５を固着することで、バルコニー梁部２が構成される。また、第２のＨ形鋼７０よりなる段差ブロック７の上端面、下端面、第２のＨ形鋼７０の屋内側のフランジ７０の下部に木質の板材５が固着される。
【００３８】
ここで、第１のＨ形鋼６０の上のフランジ６１、段差ブロック７の上端面に固着される木質の板材５は一体物を固着してもよく、又、別部材をそれぞれ固着してもよい。また、第３のＨ形鋼８０の下のフランジ８１、段差ブロック７の下端面に固着される木質の板材５は一体物を固着してもよく、又、別部材をそれぞれ固着してもよい。
【００３９】
前記の構成の段差梁３は、上階の居室床１３とバルコニー床１４とを形成する際の梁として用いられる。
【００４０】
図６には段差梁３を用いて上階の居室床１３とバルコニー床１４とを形成した一例を示している。段差梁３の床梁部１の上に上階の居室床１３が形成される。段差梁３のバルコニー梁部２は、上階の居室４０から屋外側に突出し、このバルコニー梁部２の上にバルコニー床１４が形成される。図６においてバルコニー床１４は、防水性を有する防水床部１５と、この防水床部１５上に支持脚１９、受け棧２０を介して載設されるバルコニーデッキ１７とで構成される。
【００４１】
バルコニーデッキ１７にはデッキ材間に排水部１６となる隙間が形成してあって、バルコニーデッキ１７上面の水を排水部１６から下方の防水床部１５に排水できるようになっている。
【００４２】
防水床部１５の上面はバルコニーの排水部（図示せず）側に向けて下り傾斜した傾斜面となっている。
【００４３】
上階の居室床１３の屋外側の端部には下レール２１が形成され、この下レール２１に建具２２が走行自在となっている。
【００４４】
本実施形態では上階の居室床１３の上面とバルコニーデッキ１７の上面とが下レール２１を介してほぼ段差なく連続しており、上階の居室４０からバルコニー４１への出入りがバリアフリーとなる。
【００４５】
なお、図６、図７においてバルコニー梁部２の屋外側端部上にはバルコニー桁梁３２が載設固着され、バルコニー桁梁３２上にバルコニー用手摺壁３５が載設固着される。
【００４６】
上記実施形態では、バルコニー床１４が、防水床部１５とバルコニーデッキ１７との二重床構造となっている例を示したが、図７のようにバルコニー床１４が防水床部１５のみの一重床構造であってもよい。
【００４７】
ところで、バルコニーは図８（ａ）（ｂ）（ｃ）に示すようなタイプに分類される。
【００４８】
図８（ａ）は、下階の外壁２６の上に段差梁３の段差ブロック７が位置し、バルコニー４１がキャンチとなっている例を示している。
【００４９】
また、図８（ｂ）の実施形態は、バルコニー４１が下階の外壁２６よりセットバックしている例を示している。
【００５０】
また、図８（ｃ）の実施形態は、バルコニー４１の略片側が下階の外壁２６から突出してキャンチとなり、且つ、バルコニー４１の他の片側が下階の外壁２６からセットバックしている例を示している。
【００５１】
段差梁３は前記いずれのタイプのバルコニー形状にも対応することができる。
【００５２】
ここで、床梁部１、バルコニー梁部２が木質材であると、床梁部１の前部下面にバルコニー梁部２後部上面を重ねてボルトなどで固着しなければ木質段差梁を形成することはできない。しかし、この木質段差梁は、床梁部１の前部下面にバルコニー梁部２の後部上面が重っている部分が下階の居室４２に存在するので、この部分においては天井高さが低くなってしまうという問題がある。
【００５３】
したがって、バルコニー４１がキャンチの場合は、床梁部１の前部下面にバルコニー梁部２の後部上面が重っている部分における下階の居室４２の天井高さが低くなる。また、バルコニー４１をセットバックしたタイプの場合は、セットバックした部分における下階の居室４２の天井高さが低くなるだけでなく、床梁部１の前部下面にバルコニー梁部２の後部上面が重っている部分における下階の居室４２の天井高さも低くなる。
【００５４】
これに対し、本実施形態の段差梁３は、上階の居室用の床梁部１の屋外側端部から段差を介して一体に突設するバルコニー梁部２を一体に突出しているので、床梁部１とバルコニー梁部２とが重複する部分がなく、重複によって天井高さが低くなることがない。
【００５５】
したがって、バルコニー４１がキャンチの場合は下階の居室４２における天井高さが低くならない。また、また、バルコニー４１をセットバックしたタイプの場合は、セットバックした部分だけ下階の居室４２の天井高さが低くなるだけである。
【００５６】
しかも、段差梁３の主体を構成する段差梁本体４が鋼材により形成されているので、強度が高い。
【００５７】
また、段差梁本体４の少なくとも上下面及び段差の屋内側の面に木質の板材５が固着してあるので、居室床１３、バルコニー床１４、下階の天井２９、軒天３０等を形成する際、これらの床材や天井釣木３６等の木質部材を釘打、ビス固定等で板材５に簡単に固着できる。
【００５８】
特に、第２のＨ形鋼７０の屋内側のフランジ７０の下部に木質の板材５を取付ているので、この板材５を利用して図６、図７のように下階の天井２９の端材を取付けることができる。
【００５９】
なお、バルコニーを形成するに当って、図９のように、バルコニーの内側の梁のみを段差梁３としてもよく、あるいは、図１０のように、バルコニーの全体の梁を段差梁としてもよく、これによりバルコニー４１のプランの多様化が可能となる。
【００６０】
図９、図１０において、３１は直線梁、３２はバルコニー桁梁、３３は小梁、３４はバルコニー小梁を示す。
【符号の説明】
【００６１】
１  床梁部
２  バルコニー梁部
３  段差梁
４  段差梁本体
５  板材
６  床梁材
７  段差ブロック
８  バルコニー梁材
９  段差梁本体
１１  第１のスチフナー
１２  第２のスチフナー
１３  居室床
１４  バルコニー床
１５  防水床部
１６  排水部
１７  バルコニーデッキ
６０  第１のＨ形鋼
６１  フランジ
６２  ウェッブ
７０  第２のＨ形鋼
７１  フランジ
７２  ウェッブ
８０  第３のＨ形鋼
８１  フランジ
８２  ウェッブ
【図１】
0005795871.tif 000002
【図２】
0005795871.tif 000003
【図３】
0005795871.tif 000004
【図４】
0005795871.tif 000005
【図５】
0005795871.tif 000006
【図６】
0005795871.tif 000007
【図７】
0005795871.tif 000008
【図８】
0005795871.tif 000009
【図９】
0005795871.tif 000010
【図１０】
0005795871.tif 000011